(57)【特許請求の範囲】
【請求項１】
ネジ溝を有するネジ部と、
前記ネジ部が取り付けられると共に当該ネジ部よりも大径の頭部と、前記ネジ部に形成されると共に、当該ネジ部の幅方向が中心線となるように形成されている貫通孔と、
前記ネジ部のうち前記頭部から最も離間する先端側の頂面から前記貫通孔に向かい、当該貫通孔と連なるように形成されているスリットと、
ＩＣチップおよびコイルアンテナを有するＩＣチップ体を有すると共に、前記貫通孔および前記スリットに嵌め込まれるＩＣタグと、
を備えることを特徴とするＩＣタグ組み込みネジ。
【請求項２】
請求項１記載のＩＣタグ組み込みネジであって、
前記ＩＣタグは、前記ＩＣチップ体を内蔵するタグ収納体を備えており、
前記タグ収納体は、誘電性樹脂材料を材質として形成されていて、
前記貫通孔は、円孔形状に形成されていて、前記スリットは長溝形状に設けられていると共に、
前記タグ収納体は、外観が円形状または円柱状であり前記貫通孔に嵌め込まれる孔嵌合部と、前記孔嵌合部から突出すると共に前記スリットに嵌め込まれるスリット嵌合部とを備えている、
ことを特徴とするＩＣタグ組み込みネジ。
【請求項３】
請求項２記載のＩＣタグ組み込みネジであって、
前記タグ収納体の端部側には前記孔嵌合部よりも大径のフランジ部が設けられていて、
前記ネジ部のうち前記貫通孔の開口部位の周囲には、当該ネジ部の外周面から所定深さだけ窪んだ凹嵌部が設けられていて、この凹嵌部には前記フランジ部が位置する、
ことを特徴とするＩＣタグ組み込みネジ。
【請求項４】
請求項３記載のＩＣタグ組み込みネジであって、
前記タグ収納体は、前記ＩＣチップ体を収納する空洞部を備えていると共に、その空洞部の端部側には、前記ＩＣチップ体の収納前には開閉可能な蓋部が設けられていて、この蓋部は前記凹嵌部に入り込むと共に、
前記蓋部のうち前記ＩＣチップ体の収納後に当該ＩＣチップ体と対向する側には、押さえ突起が設けられていて、その押さえ突起は収納後の前記ＩＣチップ体に当接した状態で保持する、
ことを特徴とするＩＣタグ組み込みネジ。
【請求項５】
請求項２から４のいずれか１項に記載のＩＣタグ組み込みネジであって、
前記ネジ部のうち前記貫通孔の開口部位の周囲には、段差部が設けられていて、この段差部は、前記ネジ部の外周面から径方向の中心側に向かい所定だけ凹むように形成されている、
ことを特徴とするＩＣタグ組み込みネジ。
【請求項６】
ネジ部材のうち、ネジ溝を有するネジ部の幅方向が中心線となるように形成されている貫通孔と、前記ネジ部の先端側の頂面から前記貫通孔と連なるように形成されているスリットとに嵌め込まれるＩＣタグであって、
前記ＩＣチップ体を内蔵するタグ収納体を備え、このタグ収納体は、誘電性樹脂材料を材質として形成されていて、
前記チップ収納体は、外観が円筒状または円柱状であり前記貫通孔に嵌め込まれる孔嵌合部と、前記孔嵌合部から突出すると共に前記スリットに嵌め込まれるスリット嵌合部とを備えている、
ことを特徴とするＩＣタグ。
【請求項７】
請求項６記載のＩＣタグであって、
前記タグ収納体の端部側にはフランジ部が設けられていて、当該フランジ部によって前記貫通孔からの前記タグ収納体の抜けが防止され、
前記タグ収納体は、前記ＩＣチップ体を収納する空洞部を備えていると共に、その空洞部の端部側には、前記ＩＣチップ体の収納前には開閉可能な蓋部が設けられていて、
前記蓋部のうち前記ＩＣチップ体の収納後に当該ＩＣチップ体と対向する側には、押さえ突起が設けられていて、その押さえ突起は収納後の前記ＩＣチップ体に当接した状態で保持する、
ことを特徴とするＩＣタグ。
【発明の詳細な説明】
【技術分野】
【０００１】
本発明は、ＩＣタグが組み込まれたＩＣタグ組み込みネジおよびネジ取付用ＩＣタグに関する。
【背景技術】
【０００２】
現在、様々な分野において、ＩＣチップを備えたＩＣタグが用いられた個体管理が行われている。かかる個体管理では、たとえばＲＦＩＤリーダ／ライタ装置と、ＩＣタグとの間で無線通信を行うことにより、ＩＣタグとＲＦＩＤリーダ／ライタ装置との間で情報の送受信を可能としている。
【０００３】
上記の個体管理を行うためのＩＣタグを用いた製品の中には、ＩＣタグを備えるネジやボルト（以下、ＩＣタグ組み込みネジとする）が存在する。かかるＩＣタグ組み込みネジの中には、たとえば、特許文献１〜３に開示のものがある。特許文献１〜３には、ネジの頭部に、ＩＣタグが埋め込まれた構成が開示されている。
【先行技術文献】
【特許文献】
【０００４】
【特許文献１】特開２００３−８５５１５号公報
【特許文献２】特開２００６−２０２３１８号公報
【特許文献３】特開２００６−２０２２５７号公報
【発明の概要】
【発明が解決しようとする課題】
【０００５】
上述のように、特許文献１〜３に開示の構成では、ネジの頭部側に、ＩＣタグが埋め込まれている。しかしながら、ネジの中には、その頭部が構造物の内側に配置され、それとは逆のネジ部側が作業空間側（構造物の外側）に配置され、さらにはネジ部の末尾からナットで締結されるものがある。このようなネジに代えて、ＩＣタグ組み込みネジを用いる場合、ネジの頭部側のＩＣタグは、電磁波が届き難い箇所に位置している状態となる。その結果、ＩＣタグとＲＦＩＤリーダ／ライタ装置との間で情報の送受信ができない、という問題が生じる。
【０００６】
また、ネジを用いる用途によっては、当該ネジの頭部に何らかの物を装着することに制限が掛けられる場合があり、その場合には、ネジの頭部には、何も装着しない状態とする必要がある。このような場合には、現状では、ネジにＩＣタグを組み込むことが不可能となる。
【０００７】
本発明は上記の事情にもとづきなされたもので、その目的とするところは、ネジ部の末尾のナットをネジ込む側、すなわちネジ部の先端側からでも容易に情報の送受信が可能なＩＣタグ組み込みネジおよびネジ取付用ＩＣタグを提供しよう、とするものである。
【課題を解決するための手段】
【０００８】
上記課題を解決するために、本発明の第１の観点によると、ネジ溝を有するネジ部と、ネジ部が取り付けられると共に当該ネジ部よりも大径の頭部と、前記ネジ部に形成されると共に、当該ネジ部の幅方向が中心線となるように形成されている貫通孔と、ネジ部のうち頭部から最も離間する先端側の頂面から貫通孔に向かい、当該貫通孔と連なるように形成されているスリットと、ＩＣチップおよびコイルアンテナを有するＩＣチップ体を有すると共に、貫通孔およびスリットに嵌め込まれるＩＣタグと、を備えることを特徴とするＩＣタグ組み込みネジが提供される。
【０００９】
また、本発明の他の側面は、上述の発明において、ＩＣタグは、ＩＣチップ体を内蔵するタグ収納体を備えており、タグ収納体は、誘電性樹脂材料を材質として形成されていて、貫通孔は、円孔形状に形成されていて、スリットは長溝形状に設けられていると共に、タグ収納体は、外観が円形状または円柱状であり貫通孔に嵌め込まれる孔嵌合部と、孔嵌合部から突出すると共にスリットに嵌め込まれるスリット嵌合部とを備えている、ことが好ましい。
【００１０】
さらに、本発明の他の側面は、上述の発明において、タグ収納体の端部側には孔嵌合部よりも大径のフランジ部が設けられていて、ネジ部のうち貫通孔の開口部位の周囲には、当該ネジ部の外周面から所定深さだけ窪んだ凹嵌部が設けられていて、この凹嵌部にはフランジ部が位置する、ことが好ましい。
【００１１】
また、本発明の他の側面は、上述の発明において、タグ収納体は、ＩＣチップ体を収納する空洞部を備えていると共に、その空洞部の端部側には、ＩＣチップ体の収納前には開閉可能な蓋部が設けられていて、この蓋部は凹嵌部に入り込むと共に、蓋部のうちＩＣチップ体の収納後に当該ＩＣチップ体と対向する側には、押さえ突起が設けられていて、その押さえ突起は収納後のＩＣチップ体に当接した状態で保持する、ことが好ましい。
【００１２】
さらに、本発明の他の側面は、上述の発明において、ネジ部のうち貫通孔の開口部位の周囲には、段差部が設けられていて、この段差部は、ネジ部の外周面から径方向の中心側に向かい所定だけ凹むように形成されている、ことが好ましい。
【００１３】
また、本発明の第２の観点によると、ネジ部材のうち、ネジ溝を有するネジ部の幅方向が中心線となるように形成されている貫通孔と、ネジ部の先端側の頂面から貫通孔と連なるように形成されているスリットとに嵌め込まれるＩＣタグであって、ＩＣチップ体を内蔵するタグ収納体を備え、このタグ収納体は、誘電性樹脂材料を材質として形成されていて、チップ収納体は、外観が円筒状または円柱状であり貫通孔に嵌め込まれる孔嵌合部と、孔嵌合部から突出すると共にスリットに嵌め込まれるスリット嵌合部とを備えている、ことを特徴とするＩＣタグが提供される。
【００１４】
さらに、本発明の他の側面は、上述の発明において、タグ収納体の端部側にはフランジ部が設けられていて、当該フランジ部によって貫通孔からのタグ収納体の抜けが防止され、タグ収納体は、ＩＣチップ体を収納する空洞部を備えていると共に、その空洞部の端部側には、ＩＣチップ体の収納前には開閉可能な蓋部が設けられていて、蓋部のうちＩＣチップ体の収納後に当該ＩＣチップ体と対向する側には、押さえ突起が設けられていて、その押さえ突起は収納後のＩＣチップ体に当接した状態で保持する、ことが好ましい。
ことを特徴とするＩＣタグ。
【発明の効果】
【００１５】
本発明によると、ネジ部の先端側からでも容易に情報の送受信が可能なＩＣタグ組み込みネジおよびネジ取付用ＩＣタグを提供することができる。
【図面の簡単な説明】
【００１６】
【図１】第１の実施の形態に係るＩＣタグ組み込みネジの構成を示す斜視図である。
【図２】図１のＩＣタグ組み込みネジの構成を示す斜視図であり、ＩＣタグ組み込みネジにナットを取り付けた状態を示す図である。
【図３】図１のネジ部材の構成を示す斜視図であり、ＩＣタグ組み込みネジからＩＣタグを取り除いた状態を示している。
【図４】図１のＩＣタグの構成を示す斜視図であり、ＩＣインレットを取り付ける前の様子を示す分解斜視図である。
【図５】図４のＩＣタグの構成を示す側面図であり、ＩＣインレットが取り付けられた状態を示す図である。
【図６】図５におけるＩＣインレット７０の構成の詳細を示すと共にＩＣインレットがネジ部に取り付けられた状態の断面形状を部分的に示す斜視図である。
【図７】第２の実施の形態に係るＩＣタグ組み込みネジの構成を示す斜視図である。
【図８】図７のＩＣタグ組み込みネジの構成を示す斜視図であり、ＩＣタグ組み込みネジからＩＣタグを取り除いた状態を示している。
【図９】第２の実施の形態におけるＩＣタグの構成を示す斜視図であり、蓋部が開いた状態を示す図である。
【図１０】図９のＩＣタグの蓋部が閉じたときの構成を示す側面図である。
【図１１】第３の実施の形態に係るＩＣタグ組み込みネジの構成を示す斜視図である。
【図１２】図１１のネジ部材の構成を示す斜視図であり、ＩＣタグ組み込みネジからＩＣタグを取り除いた状態を示す斜視図である。
【図１３】第４の実施の形態に係るＩＣタグ組み込みネジの構成を示す斜視図である。
【図１４】図１３のＩＣタグ組み込みネジの構成を示す斜視図であり、ＩＣタグ組み込みネジからＩＣタグを取り除いた状態を示している。
【図１５】第５の実施の形態に係るＩＣタグ組み込みネジの構成を示す斜視図である。
【図１６】第５の実施の形態のＩＣタグを示す斜視図であり、蓋部が開放すると共にＩＣインレットが空洞部に配置される前の状態を示している。
【図１７】第６の実施の形態に係る打音検査装置の概略を示す図である。
【発明を実施するための形態】
【００１７】
（第１の実施の形態）
以下、本発明の第１の実施の形態に係る、ＩＣタグ組み込みネジ１０Ａについて、図面に基づいて説明する。
【００１８】
＜ＩＣタグ組み込みネジ１０Ａの構成について＞
図１は、ＩＣタグ組み込みネジ１０Ａの構成を示す斜視図である。また、図２は、ＩＣタグ組み込みネジ１０Ａの構成を示す斜視図であり、ＩＣタグ組み込みネジ１０Ａにナット８０を取り付けた状態を示す図である。また、図３は、ネジ部材２０Ａの構成を示す斜視図であり、ＩＣタグ組み込みネジ１０ＡからＩＣタグ５０Ａを取り除いた状態を示している。
【００１９】
図１に示すように、ＩＣタグ組み込みネジ１０Ａは、ネジ部材２０Ａと、ＩＣタグ５０Ａとを有している。ネジ部材２０Ａは、通常のネジと同様に、頭部３０と、ネジ部４０Ａとを有している。そのうち、頭部３０は、ネジ部４０Ａよりも大径に設けられている部分であり、ネジ山およびネジ谷が形成されていない部分である。また、ネジ部４０Ａは、ネジ山およびネジ谷が形成されている部分であり、ナット８０が捻じ込まれる部分である。
【００２０】
なお、図１および図２には、平面視したときの形状が六角形状の頭部３０が図示されている。しかしながら、平面視したときの頭部３０の形状は、たとえば三角形状や矩形状といった多角形状、円形状や楕円形状といった曲線を有する形状、その他の規則的または不規則な輪郭を有する形状等、種々の形状を採用可能である。
【００２１】
また、ネジ部４０Ａには、貫通孔４１が形成されている。貫通孔４１は、ネジ部４０Ａを貫くように形成されている孔部分である。また、ネジ部４０Ａのうち、頭部３０から離間する頂面４０ｔには、貫通孔４１に向かうようにスリット４２が設けられている。このスリット４２の幅は、貫通孔４１の直径よりも小さく設けられている。なお、本実施の形態では、スリット４２も、貫通孔４１と同様に、ネジ部４０Ａを突っ切るように形成されている。なお、これらの貫通孔４１およびスリット４２には、後述するＩＣタグ５０Ａが取り付けられる。
【００２２】
＜ＩＣタグ５０Ａの構成について＞
続いて、ＩＣタグ５０Ａについて説明する。図４は、ＩＣタグ５０Ａの構成を示す斜視図であり、ＩＣインレット７０を取り付ける前の様子を示す分解斜視図である。図５は、ＩＣインレット７０が取り付けられた状態のＩＣタグ５０Ａの構成を示す側面図である。図４および図５に示すように、ＩＣタグ５０Ａは、タグ収納体６０Ａと、ＩＣインレット７０（単にインレットともいう；ＩＣチップ体に対応）とを有している。タグ収納体６０Ａは、誘電性樹脂材料で形成された樹脂を材質として形成されている。ただし、タグ収納体６０Ａは、例えば、磁路の流れを良くするために、誘電性樹脂材料以外に、磁性体の粉末、または誘電体と磁性体の粉末の混合体などを用いるようにしても良い。
【００２３】
このタグ収納体６０Ａは、孔嵌合部６１とスリット嵌合部６２とを有している。孔嵌合部６１は、貫通孔４１に嵌合する部分であり、その外観が円柱状または円筒状に設けられている。また、スリット嵌合部６２は、スリット４２に嵌合する部分であり、その外観は矩形の突起状に設けられている。
【００２４】
また、孔嵌合部６１には、凹嵌部６１ａが設けられている。凹嵌部６１ａは、ＩＣインレット７０が入り込むための窪み部分であり、図３および図４に示すように、孔嵌合部６１のうちスリット嵌合部６２とは反対側の外周面から窪むように設けられている。本実施の形態では、ＩＣインレット７０は、矩形の板状に設けられている。そのため、凹嵌部６１ａは、スリット状の窪み部分となっている。
【００２５】
なお、凹嵌部６１ａの幅は、ＩＣインレット７０の幅よりも若干狭くして、ＩＣインレット７０を凹嵌部６１ａに圧入する構成としても良い。その場合には、ＩＣインレット７０の保持性が向上する。しかしながら、凹嵌部６１ａの幅は、ＩＣインレット７０の幅と同等か、若干広く設けられていても良い。その場合には、接着剤や凹嵌部６１ａの開口側を封止する部材を用いて、ＩＣインレット７０を凹嵌部６１ａの内部に固定する。なお、ＩＣインレット７０を凹嵌部６１ａに圧入する場合においても、接着剤や凹嵌部６１ａの開口側を封止する部材を用いて固定するようにしても良い。
【００２６】
次に、ＩＣインレット７０について説明する。図６は、ＩＣインレット７０の構成を示すと共に当該ＩＣインレット７０がネジ部４０Ａに取り付けられた状態の断面形状を部分的に示す斜視図である。図６に示すように、ＩＣインレット７０は、ＩＣタグ基板７１と、ＩＣチップ７２と、コイルアンテナ７３とを備えている。ＩＣタグ基板７１は、略矩形状をなす平板形状に形成されている。ＩＣタグ基板７１としては、たとえばガラスエポキシ基板あるいはＰＥＴを始めとした樹脂製のフィルムを用いることができる。ＩＣタグ基板７１は、ＩＣチップ７２と、コイルアンテナ７３とを有しているが、そのうちＩＣチップ７２は、各種のデータを記憶する。
【００２７】
上述のように、本実施の形態では、その幅方向が中心線となるように貫通孔４１が形成されていて、さらに頂面４０ｔから貫通孔４１に向かい、その貫通孔４１と連なるようにスリット４２とが設けられている。そのため、図６に示すようなＩＣタグ５０Ａのうちナット８０で覆われていない端面からＩＣタグ５０Ａの内部に入り込むことを可能としていると共に、スリット４２を通過可能としている。そのため、電磁誘導方式にてコイルアンテナ７３に電流を生じさせることを可能となる。すなわち、ＲＦＩＤリーダ／ライタ装置は、ＩＣタグ５０Ａ（ＩＣインレット７０）との間で、無線通信を行うことが可能となり、ＩＣチップ７２に対して情報の読み出しおよび書き込みが可能となる。なお、ここでは、幅方向とはネジ部４０Ａの径方向のうち貫通孔４１の延伸方向とする。
【００２８】
特に、本実施の形態では、ネジ部４０Ａは、金属により形成されていて、そのネジ部４０Ａにナット８０が捻じ込まれ、ナット８０によってＩＣタグ５０Ａの軸方向（頂面４０ｔから頭部３０に向かう方向；上下方向とする）とは直角の方向にあるＩＣタグ５０Ａの端面が覆われた場合には、磁力線Φは、ＩＣタグ５０Ａの軸方向の端面からＩＣタグ５０Ａ内部に入り込み難くなる。しかしながら、ネジ部４０Ａにはスリット４２が設けられている。そのため、ナット８０によりＩＣタグ５０Ａの軸方向の端面が覆われた場合でも、ＩＣタグ５０Ａの内部に磁力線Φを入り込ませることを可能としている。
【００２９】
したがって、ネジ部材２０Ａのうち頭部３０が構造物の内側に配置され、それとは逆のネジ部４０Ａ側が作業空間側（構造物の外側）に配置され、さらにネジ部４０Ａの末尾（先端側）にナット８０が締結されていても、ＩＣタグ５０ＡとＲＦＩＤリーダ／ライタ装置との間で情報の送受信が可能となる。それにより、ＩＣタグ組み込みネジ１０Ａ毎の情報を管理することで、その個体管理が容易に行える。なお、かかるＩＣタグ組み込みネジ１０Ａの個体管理としては、たとえばメンテナンスを行った日時や、ＩＣタグ組み込みネジ１０Ａの締め付けトルク等の情報がある。
【００３０】
また、ネジ部４０Ａ側にＩＣタグ５０Ａを取り付ける構成を採用できるので、ネジ部材２０Ａの頭部３０には、何も装着しない状態とすることが可能となる。したがって、ネジ部材２０Ａの頭部３０に何らかの物を装着することに制限があっても、そのような制限に該当しなくなり、ＩＣタグ組み込みネジ１０Ａの用途を広げることが可能となる。
【００３１】
また、本実施の形態では、ＩＣタグ５０Ａは、ＩＣインレット７０を内蔵するタグ収納体６０Ａを備えており、そのタグ収納体６０Ａは、誘電性樹脂材料を材質として形成されている。また、貫通孔４１は、円孔形状に形成されていて、スリット４２は長溝形状に設けられている。しかも、タグ収納体６０Ａは、外観が円形状または円柱状であり貫通孔４１に嵌め込まれる孔嵌合部６１と、孔嵌合部６１から突出すると共にスリット４２に嵌め込まれるスリット嵌合部６２とを備えている。
【００３２】
このため、ＩＣタグ５０Ａが貫通孔４１およびスリット４２に嵌め込まれると、ＩＣタグ５０Ａが回転するのを防止可能となる。また、スリット４２にはスリット嵌合部６２が位置するので、ＩＣタグ５０ＡとＲＦＩＤリーダ／ライタ装置との間で、より確実な情報の送受信が可能となる。
【００３３】
（第２の実施の形態）
以下、本発明の第２の実施の形態について説明する。なお、本実施の形態においては、上述した第１の実施の形態における構成と共通の構成については、その構成と同じ数字を用いて説明する。また、本実施の形態における特有の構成については、符号の後にアルファベット「Ａ」ではなく「Ｂ」を附して説明する。また、上述した第１の実施の形態と共通の構成については、その説明を省略するものとする。
【００３４】
図７は、第２の実施の形態に係るＩＣタグ組み込みネジ１０Ｂの構成を示す斜視図である。また、図８は、ＩＣタグ組み込みネジ１０Ｂの構成を示す斜視図であり、ＩＣタグ組み込みネジ１０ＢからＩＣタグ５０Ｂを取り除いた状態を示している。
【００３５】
本実施の形態のＩＣタグ組み込みネジ１０Ｂでは、ネジ部材２０Ｂのネジ部４０Ｂにおける貫通孔４１付近の形状が異なっている。具体的には、貫通孔４１の両端の開口側には、凹嵌部４３Ｂが設けられている。凹嵌部４３Ｂは、貫通孔４１の直径よりも大きな直径を有しており、ネジ部４０Ｂの外周面から所定深さだけ凹むように設けられている。
【００３６】
図９は、本実施の形態におけるＩＣタグ５０Ｂの構成を示す斜視図であり、蓋部６５が開いた状態を示す図である。また、図１０は、蓋部６５が閉じたときのＩＣタグ５０Ｂの構成を示す側面図である。本実施の形態におけるＩＣタグ５０Ｂも、タグ収納体６０Ｂと、ＩＣインレット７０とを有している。しかしながら、タグ収納体６０Ｂの構成は、上述した第１の実施の形態におけるタグ収納体６０Ａとは異なっている。具体的には、タグ収納体６０Ｂには、空洞部６３と、フランジ部６４と、蓋部６５と、ヒンジ部６６と、押さえ突起６７とが設けられている。
【００３７】
孔嵌合部６１には、空洞部６３が設けられている。空洞部６３は、上述したＩＣインレット７０を挿入するための空間部分であり、孔嵌合部６１に対して所定の大きさで繰り抜いた形状に設けられている。本実施の形態では、空洞部６３は、孔嵌合部６１の一端側で開口するように設けられているが、孔嵌合部６１の他端側では開口していない。すなわち、空洞部６３は、有底形状に設けられている。また、空洞部６３の開口形状および断面形状は、図９に示すように矩形状に設けられている。しかしながら、空洞部６３は、矩形状以外の形状（たとえば円形状）を採用しても良い。
【００３８】
フランジ部６４は、外観が円形状の孔嵌合部６１よりも大径に設けられている部分であり、上述した凹嵌部４３Ｂに位置する（入り込む）部分である。そのため、フランジ部６４は、ＩＣタグ５０Ｂが貫通孔４１およびスリット４２から抜けるのを防止する抜け止めとしての機能を果たすことができる。ただし、フランジ部６４の半径は、孔嵌合部６１の中心からスリット嵌合部６２の上端面までの距離を超えないように設けられている。それにより、ネジ部４０ＢにＩＣタグ５０Ｂを取り付けた場合でも、フランジ部６４が突出しないようにすることができる。
【００３９】
また、蓋部６５は、ヒンジ部６６を介して孔嵌合部６１に対して開閉可能に設けられている。蓋部６５は、フランジ部６４と同等の直径を有している。そのため、蓋部６５を閉じた場合には、蓋部６５はフランジ部６４と同等の機能を果たすことができる。すなわち、ネジ部４０ＢへＩＣタグ５０Ｂを取り付ける場合、孔嵌合部６１およびスリット嵌合部６２を、貫通孔４１およびスリット４２に挿入した後に、蓋部６５を閉じる。このとき、貫通孔４１の他端側の凹嵌部４３Ｂにはフランジ部６４が入り込み、貫通孔４１の一端側の凹嵌部４３Ｂには蓋部６５が位置する。そのため、ＩＣタグ５０Ｂは、孔嵌合部６１およびスリット嵌合部６２から抜け難い状態となる。
【００４０】
また、蓋部６５には、押さえ突起６７が設けられている。押さえ突起６７は、図１０に示すように、蓋部６５の裏面側（蓋部６５を閉じたときに空洞部６３と対向する側の面）に設けられており、蓋部６５を閉じたときに空洞部６３に入り込む部分である。この押さえ突起６７は、空洞部６３に収納されているＩＣインレット７０に当接し、そのＩＣインレット７０を保持する。そのため、ＩＣインレット７０は、空洞部６３の内部における配置位置がばらつくのが抑えられ、ＲＦＩＤリーダ／ライタ装置との間での情報の送受信が安定的となる。
【００４１】
なお、空洞部６３には、ＩＣタグ５０Ｂを配置した後に、接着剤等を充填するようにしても良い。
【００４２】
以上のような構成のＩＣタグ組み込みネジ１０Ｂによると、タグ収納体６０Ｂの端部側には孔嵌合部６１よりも大径のフランジ部６４が設けられている。かかるフランジ部６４の存在により、貫通孔４１およびスリット４２からＩＣタグ５０Ｂが抜けるのが防止される。また、ネジ部４０Ｂのうち貫通孔４１の開口部位の周囲には、そのネジ部４０Ｂの外周面から所定深さだけ窪んだ凹嵌部４３Ｂが設けられていて、この凹嵌部４３Ｂには大径のフランジ部６４が位置する。このため、フランジ部６４がネジ部４０Ｂの外周面側に突出するのを防止できる。それにより、ナット８０をネジ部４０Ｂに締結する際に、フランジ部６４が支障となるのを防止可能となる。
【００４３】
また、本実施の形態では、タグ収納体６０Ｂは、ＩＣタグ５０Ｂを収納する空洞部６３を備えていて、その空洞部６３の端部側には、開閉可能な蓋部６５が設けられている。また、蓋部６５は凹嵌部４３Ｂに入り込むと共に、蓋部６５の裏面側（ＩＣインレット７０の収納後にＩＣインレット７０と対向する側）と対向する側には、押さえ突起６７が設けられている。そして、この押さえ突起６７は、収納後の
ＩＣインレット７０に当接する。
【００４４】
このような構成を採用する場合、種々のサイズやタイプのＩＣインレット７０を空洞部６３に収納することができる。また、蓋部６５が開閉可能に設けられているので、貫通孔４１やスリット４２にタグ収納体６０Ｂを挿入する際には蓋部６５を開いた状態としておき、貫通孔４１やスリット４２にタグ収納体６０Ｂを挿入した後に、蓋部６５を閉じる状態とすることができる。それにより、タグ収納体６０Ｂは、貫通孔４１およびスリット４２の両端側から抜けるのが防止可能となる。
【００４５】
さらに、蓋部６５には、空洞部６３に収納されているＩＣインレット７０に当接する押さえ突起６７が設けられている。このため、空洞部６３の内部において、ＩＣインレット７０の配置位置がばらつくのを抑えることができる。それにより、ＲＦＩＤリーダ／ライタ装置との間での情報の送受信が安定化させることができる。
【００４６】
（第３の実施の形態）
以下、本発明の第３の実施の形態について説明する。なお、本実施の形態においては、上述した第１の実施の形態における構成と共通の構成については、その構成と同じ数字を用いて説明する。また、本実施の形態における特有の構成については、符号の後にアルファベット「Ａ」ではなく「Ｃ」を附して説明する。また、上述した第１の実施の形態と共通の構成については、その説明を省略するものとする。
【００４７】
図１１は、第３の実施の形態に係るＩＣタグ組み込みネジ１０Ｃの構成を示す斜視図である。図１２は、ネジ部材２０Ｃの構成を示す斜視図であり、ＩＣタグ組み込みネジ１０ＣからＩＣタグ５０Ａを取り除いた状態を示す斜視図である。
【００４８】
本実施の形態におけるＩＣタグ組み込みネジ１０Ｃでは、ネジ部材２０Ｃのネジ部４０Ｃの先端側の形状が上述した第１の実施の形態のネジ部４０Ａ、および第２の実施のネジ部４０Ｂとは異なっている。具体的には、ネジ部４０Ｃのうち貫通孔４１の両端の開口側には、段差部４４Ｃが設けられている。段差部４４Ｃは、図１２に示すように、頂面４０ｔから下方側に向かい、所定高さだけ平面状に切り落としたような形状に設けられている。そのため、段差部４４Ｃには、上下方向に沿う段差平面４４Ｃ１が設けられていて、その段差平面４４Ｃ１は貫通孔４１およびスリット４２の開口部位の周囲に存在している。
【００４９】
なお、本実施の形態では、ネジ部４０Ｃには、ＩＣタグ５０Ａが取り付け可能である。図１１に示すように、ネジ部４０ＣにＩＣタグ５０Ａを取り付ける場合には、タグ収納体６０Ａの端面が貫通孔４１の開口から突出させずに、段差平面４４Ｃ１と面一にすることができる。
【００５０】
ただし、ネジ部４０Ｃには、ＩＣタグ５０Ｂを取り付けるようにしても良い。この場合には、ネジ部４０Ｃにナット８０を捻じ込む場合に、フランジ部６４および蓋部６５がその捻じ込みを阻害しない必要がある。
【００５１】
以上のような構成のＩＣタグ組み込みネジ１０Ｃによると、ネジ部４０Ｃのうち貫通孔４１の開口部位の周囲には、段差部４４Ｃが設けられていて、この段差部４４Ｃは、ネジ部４０Ｃの外周面から径方向の中心側に向かい所定だけ凹むように形成されている。このため、貫通孔４１およびスリット４２にＩＣタグ５０ＡまたはＩＣタグ５０Ｂを取り付けた場合でも、これらのＩＣタグ５０Ａ，５０Ｂの端部がネジ部４０Ｃのネジ溝に差し掛からない状態とすることができる。それにより、ネジ部４０Ｃに対するナット８０の締結は、ＩＣタグ５０Ａ，５０Ｂの存在によっては阻害されない状態とすることができる。
【００５２】
また、段差部４４Ｃは段差平面４４Ｃ１を有している。このため、フランジ部６４や蓋部６５を段差平面４４Ｃ１に面的に接触させることができ、ネジ部４０Ｃに対するＩＣタグ５０Ａ，５０Ｂの取り付けを安定化させることができる。
【００５３】
（第４の実施の形態）
以下、本発明の第４の実施の形態について説明する。なお、本実施の形態においては、上述した第１の実施の形態における構成と共通の構成については、その構成と同じ数字を用いて説明する。また、本実施の形態における特有の構成については、符号の後にアルファベット「Ａ」ではなく「Ｄ」を附して説明する。また、上述した第１の実施の形態と共通の構成については、その説明を省略するものとする。
【００５４】
図１３は、第４の実施の形態に係るＩＣタグ組み込みネジ１０Ｄの構成を示す斜視図である。また、図１４は、ＩＣタグ組み込みネジ１０Ｄのネジ部材２０Ｄ構成を示す斜視図であり、ＩＣタグ組み込みネジ１０ＤからＩＣタグ５０Ｂを取り除いた状態を示している。
【００５５】
本実施の形態におけるＩＣタグ組み込みネジ１０Ｄでは、ネジ部材２０Ｄのネジ部４０Ｄの先端側の形状が上述した第１の実施の形態のネジ部４０Ａ、第２の実施の形態のネジ部４０Ｂ、および第３の実施の形態のネジ部４０Ｃとは異なっている。具体的には、ネジ部４０Ｄのうち貫通孔４１の両端の開口側には、上述した凹嵌部４３Ｂと同様の凹嵌部４３Ｄが設けられ、加えて上述した段差部４４Ｃと同様の段差部４４Ｄが設けられている。
【００５６】
また、本実施の形態のネジ部４０Ｄには、ＩＣタグ５０Ｂが取り付けられる。その取り付けにおいては、貫通孔４１の他端側の凹嵌部４３Ｄにはフランジ部６４が入り込み、貫通孔４１の一端側の凹嵌部４３Ｄには蓋部６５が位置する。そのため、ＩＣタグ５０Ｂは、孔嵌合部６１およびスリット嵌合部６２から抜け難い状態となる。しかも、フランジ部６４は段差平面４４Ｄ１と面一とすることができ、また蓋部６５も段差平面４４Ｄ１と面一とすることができる。
【００５７】
以上のような構成のＩＣタグ組み込みネジ１０Ｄによると、ネジ部４０Ｄには、凹嵌部４３Ｄに加えて段差部４４Ｄも設けられている。このため、フランジ部６４および蓋部６５を有するＩＣタグ５０Ｂを容易に取り付けることができる。特に、段差部４４Ｄには段差平面４４Ｄ１が存在しており、その段差平面４４Ｄ１にはネジ溝部分が存在していない。このため、凹嵌部４３Ｄにフランジ部６４および蓋部６５を位置させて、これらフランジ部６４と蓋部６５の表面が段差平面４４Ｄ１から突出しない状態とすれば、ネジ部４０Ｄに対するナット８０の捻じ込みが阻害されなくなる。
【００５８】
（第５の実施の形態）
以下、本発明の第５の実施の形態について説明する。なお、本実施の形態においては、上述した第１の実施の形態における構成と共通の構成については、その構成と同じ数字を用いて説明する。また、本実施の形態における特有の構成については、符号の後にアルファベット「Ａ」ではなく「Ｅ」を附して説明する。また、上述した第１の実施の形態と共通の構成については、その説明を省略するものとする。
【００５９】
図１５は、第５の実施の形態のＩＣタグ組み込みネジ１０Ｅの構成を示す斜視図である。また、図１６は、本実施の形態のＩＣタグ５０Ｅを示す斜視図であり、蓋部６５が開放すると共にＩＣインレット７０が空洞部６３に配置される前の状態を示している。
【００６０】
図１６に示すように、本実施の形態では、上述したＩＣタグ５０Ｂの一部を変更したＩＣタグ５０Ｅを用いている。具体的には、ＩＣタグ５０Ｅは、タグ収納体６０Ｅの空洞部６３に配置されるＩＣインレット７０の向きが、ＩＣタグ５０Ｂとは異なっている。ＩＣタグ５０Ｂにおいては、ＩＣインレット７０の法線は貫通孔４１の中心線方向と同等となっている。しかしながら、ＩＣタグ５０Ｅにおいては、ＩＣインレット７０は、上下方向が法線となるように空洞部６３の内部に配置されている。すなわち、ＩＣインレット７０は貫通孔４１の中心線に対して平行であって、頂面４１tの面と平行になる。
【００６１】
その場合、電磁波のうち磁界を構成する磁力線Φは、図６とは異なるものとなるが、その磁力線Φに直交する電流（電界）の向きも異なる状態となる。
【００６２】
以上のような構成のＩＣタグ５０Ｅがネジ部材２０Ｅのネジ部４０Ｅに取り付けられる場合、貫通孔４１の両端部側または両端の凹嵌部４３Ｅ（図１５では凹嵌部４３Ｅに配置）には、金属部材９０が配置される構成を採用することができる。金属部材９０は、貫通孔４１やスリット４２に嵌合させる部材であっても良い。それにより、耐衝撃性を向上させ、さらにはＩＣタグ５０Ｅがネジ部４０Ｅから脱落するのを防止可能となる。なお、図１５においては、金属部材９０はハッチングを付して図示されている。
【００６３】
ところで、上述のような金属部材９０を配置する場合、上述した第１〜第４の実施の形態におけるＩＣタグ組み込みネジ１０Ａ〜１０Ｄと比較して、電磁波の検出距離が短くなってしまう。これは、コイルアンテナ７３が発生させる電磁波は、スリット４２を通過させる（スリット４２から漏れ出る）もののみとなるからである。
【００６４】
たとえば、上述した第１〜第４の実施の形態におけるＩＣタグ組み込みネジ１０Ａ〜１０Ｄでは、ハンディタイプのＲＦＩＤリーダ／ライタ装置を最高出力とした場合には、３〜５ｃｍの検出距離がある。そのため、仮にＩＣタグ組み込みネジ１０Ａ〜１０Ｄが狭い範囲内に密集して配置された場合には、隣接するＩＣタグ組み込みネジ１０Ａ〜１０Ｄに対して誤って通信する虞がある。
【００６５】
そのため、本実施の形態のＩＣタグ組み込みネジ１０Ｅのように、ＩＣインレット７０の配置を変更したＩＣタグ５０Ｅを用い、さらに両端部に金属部材９０を配置した場合、電磁波は、スリット４２を通過するものが若干存在するだけとなる。たとえば、ハンディタイプのＲＦＩＤリーダ／ライタ装置を最高出力とした場合には、せいぜい５ｍｍ程度の検出距離となってしまう。したがって、本実施の形態では、隣接するＩＣタグ組み込みネジ１０Ｅの間で、誤った通信がなされてしまうのを防止可能となる。
【００６６】
（第６の実施の形態）
以下、本発明の第６の実施の形態について説明する。本実施の形態では、上述した第１〜第５の実施の形態におけるＩＣタグ組み込みネジ１０Ａ〜１０Ｅとの間で、無線通信を行うことが可能な打音検査装置１００に関するものである。図１７は、打音検査装置１００の概略を示す図である。この打音検査装置１００は、打検部１１０と、検出部１２０と、リーダ・ライタ装置本体部１３０とを有している。
【００６７】
打検部１１０は、金属ロッドを所定の形状に加工したものであり、打音検査の際に、対象物に打ち付ける部分である。かかる打ち付けの際に生じる音に基づいて、ネジの緩み等を検知することができる。
【００６８】
また、打音検査装置１００のいずれかの部位には、検出部１２０が設けられている。検出部１２０は、図１７に示すように、ＩＣタグ組み込みネジ１０Ａ〜１０Ｅと通信を行う場合の検出部分として機能する部分である。そのため、検出部１２０は、コイルアンテナを備えている。また、リーダ・ライタ装置本体部１３０は、検出部１２０に対して伝送路を介して接続されていて、検出部１２０で検出された情報（信号）を受け取って処理を加えたり、検出部１２０から送出させるための情報（信号）を検出部１２０に向けて送信する部分である。また、リーダ・ライタ装置本体部１３０は、情報を記憶するメモリ部分や、情報の演算処理をするプロセッサ部分を有している。さらに、リーダ・ライタ装置本体部１３０は、外部装置との間で、通信を行うための通信部を有することが好ましい。
【００６９】
以上のような構成を有する打音検査装置１００では、ＩＣタグ組み込みネジ１０Ａ〜１０Ｅに対して、増し締め等の定期的なメンテナンスを行う際に、ＩＣタグ５０Ａ，５０Ｂ，５０Ｅとの間で通信を行うことが可能となる。そのため、メンテナンスを行った日時をＩＣチップ７２に書き込んだり、ＩＣチップ７２から必要とされる締付トルク等の情報を読み取ったりすることが可能となる。そのため、誤ってあるＩＣタグ組み込みネジ１０Ａ〜１０Ｅは２度増し締めしたが、別のＩＣタグ組み込みネジ１０Ａ〜１０Ｅは増し締めを忘れた等のメンテナンス漏れが生じるのを防止可能となる。また、メンテナンスの管理も容易となる。
【００７０】
＜変形例＞
以上、本発明の一実施の形態について説明したが、本発明はこれ以外にも種々変形可能となっている。以下、それについて述べる。
【００７１】
上述の実施の形態においては、ＲＦＩＤ通信にて用いられるＵＨＦ帯の周波数として９２０ＭＨｚが挙げられている。しかしながら、ＲＦＩＤ通信にて用いられるＵＨＦ帯の周波数としては、たとえば８６０ＭＨｚから９６０ＭＨｚの帯域であれば、どのような周波数であっても良い。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であっても良く、その他の周波数であっても良い。
【符号の説明】
【００７２】
１０Ａ〜１０Ｅ…ＩＣタグ組み込みネジ、２０Ａ〜２０Ｅ…ネジ部材、３０…頭部、４０Ａ〜４０Ｅ…ネジ部、４０ｔ…頂面、４１…貫通孔、４２…スリット、４３Ｂ，４３Ｄ，４３Ｅ…凹嵌部、４４Ｃ，４４Ｄ…段差部、４４Ｃ１，４４Ｄ１…段差平面、５０Ａ，５０Ｂ，５０Ｅ…ＩＣタグ、６０Ａ，６０Ｂ，６０Ｅ…タグ収納体、６１…孔嵌合部、６１ａ…凹嵌部、６２…スリット嵌合部、６３…空洞部、６４…フランジ部、６５…蓋部、６６…ヒンジ部、６７…突起、７０…ＩＣインレット（ＩＣチップ体に対応）、７１…ＩＣタグ基板、７２…ＩＣチップ、７３…コイルアンテナ、８０…ナット、９０…金属部材、１００…打音検査装置、１１０…打検部、１２０…検出部、１３０…リーダ・ライタ装置本体部
【図１】
0006389680.tif 000002
【図２】
0006389680.tif 000003
【図３】
0006389680.tif 000004
【図４】
0006389680.tif 000005
【図５】
0006389680.tif 000006
【図６】
0006389680.tif 000007
【図７】
0006389680.tif 000008
【図８】
0006389680.tif 000009
【図９】
0006389680.tif 000010
【図１０】
0006389680.tif 000011
【図１１】
0006389680.tif 000012
【図１２】
0006389680.tif 000013
【図１３】
0006389680.tif 000014
【図１４】
0006389680.tif 000015
【図１５】
0006389680.tif 000016
【図１６】
0006389680.tif 000017
【図１７】
0006389680.tif 000018